(57)【特許請求の範囲】
【請求項１】
調理器の上方または周囲に設置され、整流板の周囲に設け、汚染された空気を吸込む吸込口と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、前記フィルターの中央近傍から水を供給する散水手段と、前記清浄ケーシング内に散乱した汚水の回収手段とを有し、前記散水ノズルから前記フィルター中央に散水し前記フィルター表面を洗浄しながら前記フィルター裏面にも進入し前記整流板に反射・往来しながら表裏を洗浄するとともに、前記整流板裏側に付着した汚れに対しても、水の流れにより洗い流すことができる前記整流板の対向する位置に前記フィルターを配設したことを特徴とするレンジフード。
【請求項２】
整流板もしくはフィルターおよび駆動手段が接近し、一定距離を保持できるよう移動可能としたことを特徴とする請求項１記載のレンジフード。
【請求項３】
整流板のフィルター側に板状の整水板を埋設させ、通風路内にあるフィルターと対面位置になるように連動柱を介して連結固定され、前記連動柱が回転することにより、前記整水板は前記整流板裏側と前記フィルター近傍を可動往来することにより前記整水板は前記フィルターに接近し、前記フィルターからの散水を前記フィルターにはね返すことのできる一定距離を保持するよう、移動可能としたことを特徴とする請求項１記載のレンジフード。
【請求項４】
吸込口を閉鎖状態と開放状態とに切り替えが行えるよう、整流板は連動柱によりフードに連結固定され、また、前記整流板は前記吸込口を覆う箱形の形状を有し、前記連動柱を作動させることにより前記整流板が上下動することを特徴とする請求項１〜３のいずれかに記載のレンジフード。
【発明の詳細な説明】
【技術分野】
【０００１】
本発明は、レンジフードに取り付けるフィルターの汚れ除去に関するものである。
【背景技術】
【０００２】
従来より、レンジフードには調理で発生する油煙や埃等を捕集する目的として、フィルターもしくはバッフル板などが取り付けられていた。このフィルターやバッフル板は使用とともに汚れが付着するため、性能が低下したり、捕集部から油垂れが生じるので、定期的な掃除を行う必要があった。
【０００３】
また、これら掃除の手間を軽減する目的でフィルターを自動的に浄化する手段として、フィルターに駆動手段を取り付けて回転させることにより、遠心力で汚れを除去する方法があった（例えば、特許文献１参照）。
【０００４】
以下、その排気装置について、図５を参照しながら説明する。
【０００５】
図５に示すように、汚れた空気１０１は、吸込口１０２を通過して排気ファン１０３の前方に配置されたフィルター１０４を通過し、このフィルター１０４を回転させる駆動装置１０５と、フィルター１０４の汚れを検知するセンサー１０６とを備えることで、フィルター１０４の汚れを検知してフィルター１０４を駆動装置１０５で回転させ、汚れを遠心力で除去させている。
【特許文献１】特開平３−１６４６３９号公報（第３頁、第１図）
【発明の開示】
【発明が解決しようとする課題】
【０００６】
このような従来のレンジフードでは、油等の汚れがフィルターに付着した状態で乾燥すると、遠心力だけでは十分に除去するのが困難であり、次第にフィルターが目詰まりを起こし、性能が低下するという課題があった。
【０００７】
また、吸込口近傍において特に内側については有効な除去手段がなく、汚れが蓄積し油垂れが発生するという課題があった。
【０００８】
本発明は、このような従来の課題を解決するものであり、フィルターを取り外すことなく、かつ、手間なくフィルターと吸込口近傍に付着した油、埃などの汚れを除去できることを特徴としたレンジフードを提供することを目的としている。
【課題を解決するための手段】
【０００９】
本発明のレンジフードは、上記目的を達成するために、調理器の上方または周囲に設置され、汚染された空気を吸込む吸込口を周囲に設けた整流板と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、前記フィルターの中央近傍から水を供与する散水手段と、前記清浄ケーシング内に散乱した汚水の回収手段とを有し、前記散水ノズルから前記フィルター中央に散水し前記フィルター表面を洗浄しながら前記フィルター裏面にも進入し前記整流板に反射・往来しながら表裏を洗浄するとともに、前記整流板裏側に付着した汚れに対しても、水の流れにより洗い流すことができる前記整流板の対向する位置に前記フィルターを配設したものである。
【００１０】
この手段により、フィルターを取り外して掃除することもなくフィルターの表裏面についた汚れと吸込口近傍にある整流板の裏側の汚れを除去でき、掃除の手間を軽減することができ、通常使用時にはフィルターにて油煙や塵埃を効率よく捕集することができる。
【００１１】
また、他の手段は、整流板もしくはフィルターおよび駆動手段が接近し、一定距離を保持できるよう移動可能としたものである。
【００１２】
この手段により、通常では清掃が困難な整流板の裏側の汚れもフィルターと同時に、短時間に効率よく除去することができる。
【００１３】
また、他の手段は、整流板のフィルター側に板状の整水板を埋設させ、通風路内にあるフィルターと対面位置になるように連動柱を介して連結固定され、前記連動柱が回転することにより、前記整水板は前記整流板裏側と前記フィルター近傍を可動往来することにより前記整水板は前記フィルターに接近し、前記フィルターからの散水を前記フィルターにはね返すことのできる一定距離を保持できるよう、移動可能としたものである。
【００１４】
この手段により、簡易な移動装置を用いて、フィルターと整流板の裏側の汚れの付着を防止し、整水板を介して汚れを清浄することができる。
【００１５】
また、他の手段は、吸込口を閉鎖状態と開放状態とに切り替えが行えるよう、整流板は連動柱によりフードに連結固定され、また、前記整流板は前記吸込口を覆う箱形の形状を有し、前記連動柱を作動させることにより前記整流板が上下動するものである。
【００１６】
この手段により、フィルターならびに整流板の裏側を清浄する際に発生する水漏れを防止したり、水の衝突音やフィルターの回転音を遮断することができる。
【発明の効果】
【００１７】
本発明によれば、前記散水ノズルから前記フィルター中央に散水し前記フィルター表面を洗浄しながら前記フィルター裏面にも進入し前記整流板に反射・往来しながら表裏を洗浄するとともに、前記整流板裏側に付着した汚れに対しても、水の流れにより洗い流すことができる前記整流板の対向する位置に前記フィルターを配設しているので、フィルター清浄時には、供与された水を整流板に反射させフィルターの表裏を往来して洗浄し、吸込口近傍に位置していた整流板裏側の汚れをも合わせて簡易に除去でき、掃除の手間を軽減することができるレンジフードを提供できる。
【００１８】
また、他の手段は、整流板もしくはフィルターおよび駆動手段が接近し、一定距離を保持できるよう移動することができるので、相対的に散水手段と整流板の距離を縮めることとなり、散水手段から供与された水はフィルター清浄後、水の勢いを保ったまま即時に整流板に衝突し汚れを洗い流すこととなり、短時間で効率よくフィルターおよび整流板の裏側を清浄することができるレンジフードを提供できる。
【００１９】
また、他の手段は、整流板のフィルター側に板状の整水板を埋設させ、通風路内にあるフィルターと対面位置になるように連動柱を介して連結固定され、前記連動柱が回転することにより、前記整水板は前記整流板裏側と前記フィルター近傍を可動往来することにより前記整水板は前記フィルターに接近し、前記フィルターからの散水を前記フィルターにはね返すことのできる一定距離を保持するよう、移動可能とし、整水板に汚れを付着させてフィルター清浄時に合わせて清浄するので、簡易な移動装置を用いてフィルターと整流板の裏側の汚れの付着を防止し、整水板を介して汚れを清浄することができるレンジフードを提供できる。
【００２０】
また、他の手段は、吸込口を閉鎖状態と開放状態とに切り替えが行えるよう、整流板は連動柱によりフードに連結固定され、また、前記整流板は前記吸込口を覆う箱形の形状を有し、前記連動柱を作動させることにより前記整流板が上下動させることにより、フィルター清浄時に通風路を閉鎖させ、散水する水や除去後の汚水の漏れを防止したり、水の衝突音やフィルターの回転音を遮断することができるレンジフードを提供できる。
【発明を実施するための最良の形態】
【００２１】
本発明の請求項１記載のレンジフードは、調理器の上方または周囲に設置され、整流板の周囲に設け、汚染された空気を吸込む吸込口を周囲に設けた整流板と吐出口と排気送風用の排気ファンを内包した送風ケーシングとを連通して通風路を設けたフードと、前記吸込口下流側に駆動手段により回転するフィルターと、前記フィルターを包囲する清浄ケーシングと、フィルターの中央近傍から水を供与する散水手段と、清浄ケーシング内に散乱した汚水の回収手段とを有し、前記散水ノズルから前記フィルター中央に散水し前記フィルター表面を洗浄しながら前記フィルター裏面にも進入し前記整流板に反射・往来しながら表裏を洗浄するとともに、前記整流板裏側に付着した汚れに対しても、水の流れにより洗い流すことができる前記整流板の対向する位置にフィルターを配設したことを特徴とするレンジフードであり、通常使用時にはフィルターと整流板の裏側に汚れを捕集し、フィルター清浄時には、フィルターを取り外すことなく、かつ、手間なく整流板の裏側の汚れも除去することができる作用を有する。
【００２２】
本発明の請求項２記載のレンジフードは、整流板もしくはフィルターおよび駆動手段が接近し、一定距離を保持できるよう移動可能としたもので、勢いのある水流を用いて整流板の裏側の汚れを効率よく除去することができる作用を有する。
【００２３】
本発明の請求項３記載のレンジフードは、整流板のフィルター側に板状の整水板を埋設させ、通風路内にあるフィルターと対面位置になるように連動柱を介して連結固定され、前記連動柱が回転することにより、前記整水板は前記整流板裏側と前記フィルター近傍を可動往来することにより前記整水板は前記フィルターに接近し、前記フィルターからの散水を前記フィルターにはね返すことのできる一定距離を保持できるよう、移動可能としたもので、簡易な移動装置を用いてフィルターの裏面ならびに整水板の汚れを清浄することができる作用を有する。
【００２４】
本発明の請求項４記載のレンジフードは、吸込口を閉鎖状態と開放状態とに切り替えが行えるよう、整流板は連動柱によりフードに連結固定され、また、前記整流板は前記吸込口を覆う箱形の形状を有し、前記連動柱を作動させることにより前記整流板を上下動させるもので、フィルターを清浄する際に発生する水漏れを防止したり、水の衝突音や回転音を遮断することができる作用を有する。
【００２５】
以下、本発明の実施の形態について図面を参照しながら説明する。
【００２６】
（実施の形態１）
図１に示すように、本実施の形態１では、調理器（図示せず）の上方に、調理器から発生する油煙や周囲に浮遊する埃を捕集する吸込口１を設けたフード２を設置し、フード２には、天面に屋外と連通したダクト３を介して連通する吐出口４を設け、内部には排気ファン５を包括した送風ケーシング６を配設し、この排気ファン５を介し吸込口１と吐出口４を結ぶ通風路７を形成している。また、フード２内の吸込口１近傍には箱状の整流板８が配設され、排気ファン５の前面に駆動手段９を連結した油や埃を捕集するフィルター１０を配設し、フィルター１０と整流板８は対向に位置し、一定の間隔を保持して固定されている。また、フィルター１０外周部にはフィルター１０を覆い被さる筒状の清浄ケーシング１１を有し、フィルター１０中央には、貯水装置１２と給水ポンプ１３により接続された散水ノズル１４により散水手段１５を構成している。また、清浄ケーシング１１の下端部に小孔を設けて排水し、その下方部に清浄ケーシング１１内に散乱した汚水を回収する回収手段１６を設けている。
【００２７】
上記構成において、調理器によって調理するとき排気ファン５の運転を開始すると、油煙や埃は吸込口１から吸込まれ整流板８を回り込みフード２内に進入するが、その際整流板８の裏側端部には通気の滞留作用により汚れが付着蓄積される。その後通過した油や埃はフィルター１０にて捕集されて排気ファン５に向かうこととなる。フィルター１０清浄を行う時は、まず駆動手段９によりフィルター１０が回転し、散水ノズル１４からフィルター１０中央に散水しフィルター１０表面を洗浄しながらフィルター１０裏面にも進入し整流板８に反射・往来しながら表裏を洗浄するとともに、整流板８裏側に付着した汚れに対しても、水の流れにより洗い流すことができる。そのため、フィルター１０表裏を洗浄し、通常であれば清浄が非常に困難である整流板８の裏側も簡易に清浄することができる。
【００２８】
（実施の形態２）
図２において、図１と同じ構成要素については同じ符号を用いその説明を省略する。
【００２９】
図２に示すように、本実施の形態２では、整流板８もしくはフィルター１０および駆動手段９が接近し、一定距離を保持できるよう移動可能とされている。
【００３０】
上記構成において、フィルター１０清浄時には、整流板８がフード２側に上昇するもしくはフィルター１０と駆動手段９が吸込口１側に下降することにより、整流板８側とフィルター１０が接近し散水手段１５により汚れを除去する。また、通常の排煙時おいては、逆に整流板８が調理器側に下降するもしくはフィルター１０と駆動手段９がフード２側に上昇することにより、通風路７が大きく確保でき、吸込む風量を増加させ汚染された空気の捕集効率を高めることができる。
【００３１】
（実施の形態３）
図３において、図１および図２と同じ構成要素については同じ符号を用いその説明を省略する。
【００３２】
図３に示すように、本実施の形態３では、吸込口１の近傍に設置された整流板８の裏側に板状の整水板１７が埋設され、通風路７内にあるフィルター１０と対面位置になるように連動柱１８を介して連結固定され、連動柱１８が回転することにより、整水板１７は整流板８裏側とフィルター１０近傍を可動往来する。
【００３３】
上記構成において、フィルター１０清浄時には整流板８の裏側に埋設した整水板１７が一定距離を保持できる箇所までフィルター１０に接近し固定されフィルター１０に付着した汚れを除去することとなるが、整水板１７のみを移動するために、整流板８やフィルター１０と駆動手段９が昇降するための大掛かりな機構が不要でフィルター１０の汚れを除去し、整流板８裏側に汚れがつかないようにすることができる。
【００３４】
（実施の形態４）
図４において、図１〜図３と同じ構成要素については同じ符号を用いその説明を省略する。
【００３５】
図４に示すように、本実施の形態４では、整流板８は連動柱１８によりフード２に連結固定され、また、整流板８は吸込口１を覆う箱形の形状を有しており、連動柱１８を作動させて吸込口１を塞いで通風路７を閉鎖状態とさせる。
【００３６】
上記構成において、フィルター１０清浄時には、整流板８が上昇して吸込口１を覆い閉ざすことになり、フィルター１０を清浄した水が散乱しても室内側に漏れるということがなく、また、同時に発生したフィルター１０の回転音や水の衝突音など不快な音も吸込口１が閉鎖されているので室内側に伝わる音を遮断することとなり、夜間など騒音が気になる時間帯においてもフィルター１０の清浄を行うことができる。
【産業上の利用可能性】
【００３７】
通風路内にフィルター、整流板もしくは整水板を保持し散水と遠心力により、汚れを取り除く構成により、汚れをフィルターで捕集する換気装置にも適用することができる。
【図面の簡単な説明】
【００３８】
【図１】本発明の実施の形態１におけるレンジフードを示す構成図
【図２】本発明の実施の形態２におけるレンジフードを示す構成図
【図３】本発明の実施の形態３におけるレンジフードを示す構成図
【図４】本発明の実施の形態４におけるレンジフードを示す構成図
【図５】従来のレンジフードを示す構成図
【符号の説明】
【００３９】
１    吸込口
２    フード
４    吐出口
５    排気ファン
６    送風ケーシング
７    通風路
８    整流板
９    駆動手段
１０  フィルター
１１  清浄ケーシング
１５  散水手段
１６  回収手段
１７  整水板
【図１】
0004839814.tif 000002
【図２】
0004839814.tif 000003
【図３】
0004839814.tif 000004
【図４】
0004839814.tif 000005
【図５】
0004839814.tif 000006